(57)【特許請求の範囲】
【請求項１】
長手方向に延在する鍵刻み領域（１５６）を上に形成するように構成される平らな表面（３０４，３０６）を形成する柄（３０２）を含み、前記長手方向に延在する領域（１５６）は、その上に形成されて、ピン操作シリンダ（１００）の複数の第１のピン組立体（１３０）を所望の分断線位置（１４８）に位置させるように構成された複数の第１の鍵刻み（１５８）を有する、鍵であって、
その上に予め形成されて、対応する第２のピン組立体（１４０，２７５）を所望の分断線位置（１４８）に位置させるように構成された第２の鍵刻み（１６０）を有し、
前記複数の第１の鍵刻み（１５８）は、前記第１のピン組立体（１３０）と構成において対応する第１の凹所を形成し、
前記第２の鍵刻み（１６０）は、前記第１の凹所と対応しかつ前記第１のピン組立体（１３０）を所望の分断線位置に位置させるように構成された第１の凹部（３１０）と、前記第１の凹部（３１０）よりも深く刻まれて前記第２のピン組立体（１４０，２７５）を所望の分断線位置に位置させるように構成された第２の凹部（３１８，３３４）と、を形成し、
前記第１の凹部（３１０）は案内溝（３１０）を含み、前記第２の凹部（３１８，３３４）は、追加的な溝（３１８）と追加的な鍵刻み（３３４）とを含みかつ前記追加的な溝（３１８）を越えて形成された概ね円錐台の構造を有する
ことを特徴とする鍵。
【請求項２】
前記複数の第１の鍵刻み（１５８）は、前記第２のピン組立体（１４０，２７５）を所望の分断線位置に位置させることができないことを特徴とする請求項１に記載の鍵。
【請求項３】
前記少なくとも１つの第２の鍵刻み（１６０）は、前記第２のピン組立体（１４０，２７５）を所望の分断線位置に位置させることができ、かつ前記第１のピン組立体（１３０）を所望の分断線位置に位置させることができることを特徴とする請求項１に記載の鍵。
【請求項４】
シリンダ錠と鍵との組み合わせであって、
シリンダ本体（１０２）と、前記シリンダ本体（１０２）内において回転可能であって鍵穴（１０８）を形成するプラグ（１０６）と、前記鍵穴（１０８）に係合し、かつピン組立体（１３０，１４０）を前記シリンダ本体（１０２）と前記プラグ（１０６）との間の分断線（１４８）に対して位置決めして前記シリンダ本体（１０２）に対する前記プラグ（１０６）の回転を許容するために、前記鍵穴（１０８）内に挿入された鍵の鍵刻みによって選択的に位置決め可能な第１のピン組立体（１３０）および少なくとも１つの第２のピン組立体（１４０）と、を含むピン操作シリンダ（１００）と、
長手方向に延在する鍵刻み領域（１５６）を上に形成するように構成される少なくとも１つの平らな表面（３０４，３０６）を形成する柄（３０２）を含み、前記長手方向に延在する領域（１５６）は、その上に形成されて、複数の第１のピン組立体（１３０）を所望の分断線位置（１４８）に位置させるように構成された複数の第１の鍵刻み（１５８）を有する、鍵と、
を含み、
前記鍵の上に予め形成されて、対応する少なくとも１つの第２のピン組立体（１４０，２７５）を所望の分断線位置（１４８）に位置させるように構成された少なくとも１つの第２の鍵刻み（１６０）を有し、
前記複数の第１の鍵刻み（１５８）は、前記第１のピン組立体（１３０）と構成において対応する第１の凹所を形成し、前記少なくとも１つの第２の鍵刻み（１６０）は、前記第１の凹所と対応しかつ前記第１のピン組立体（１３０）を所望の分断線位置に位置させるように構成された少なくとも１つの第１の凹部（３１０）と、前記第１の凹部（３１０）よりも深く刻まれて前記少なくとも１つの第２のピン組立体（１４０，２７５）を所望の分断線位置に位置させるように構成された第２の凹部（３１８，３３４）と、を形成し、
前記第１の凹部（３１０）は案内溝（３１０）を含み、前記第２の凹部（３１８，３３４）は、追加的な溝（３１８）と追加的な鍵刻み（３３４）とを含みかつ前記追加的な溝（３１８）を越えて形成された概ね円錐台の構造を有する
ことを特徴とするシリンダ錠と鍵との組み合わせ。
【請求項５】
前記複数の第１の鍵刻み（１５８）は、前記第２のピン組立体（１４０，２７５）を所望の分断線位置に位置させることができないことを特徴とする請求項４に記載のシリンダ錠と鍵との組み合わせ。
【請求項６】
前記少なくとも１つの第２の鍵刻み（１６０）は、前記第２のピン組立体（１４０，２７５）を所望の分断線位置に位置させることができ、かつ前記第１のピン組立体（１３０）を所望の分断線位置に位置させることができることを特徴とする請求項４に記載のシリンダ錠と鍵との組み合わせ。
【請求項７】
前記第２のピン組立体は、マルチパートピン（６７５）を含むことを特徴とする請求項４に記載のシリンダ錠と鍵との組み合わせ。
【請求項８】
前記第２のピン組立体は、
概ね非円形円筒構造を有するプラグピン（２７５）と、
軸（２８２）に沿って延在する細長い突出部（２８４）と、前記細長い突出部（２８４）の両側から下方に向かって延在する傾斜平面（２８６）と、を形成する前記プラグピン（２７５）の頭と、
前記細長い突出部（２８４）の一端から下方に向かって延在して第２の円錐表面（２９０）に結合する第１の円錐表面（２８８）と、
前記第２の円錐表面（２９０）の両側上に延在する他の細長い突出部（２９２）と、
を含むことを特徴とする請求項４に記載のシリンダ錠と鍵との組み合わせ。
【請求項９】
前記第２のピン組立体は、
長軸（２８０）および短軸（２８２）を形成する概ね楕円形の円筒構造を有するプラグピン（２７５）と、
短軸（２８２）に沿って延在する細長い突出部（２８４）と、前記細長い突出部（２８４）の両側から下方に向かって延在する傾斜平面（２８６）と、を形成する前記プラグピン（２７５）の頭と、
前記細長い突出部（２８４）の一端から下方に向かって延在して第２の円錐表面（２９０）に結合する第１の円錐表面（２８８）と、
前記第２の円錐表面（２９０）の両側上に延在する他の細長い突出部（２９２）と、
を含むことを特徴とする請求項４に記載のシリンダ錠と鍵との組み合わせ。
【発明の詳細な説明】
【技術分野】
【０００１】
本発明は、鍵操作式錠ならびにそれに有用な鍵および鍵素材に関する。
【背景技術】
【０００２】
非常に多様な鍵操作式錠が特許文献で知られている。以下の本譲受人の米国特許（特許文献１、特許文献２、および特許文献３参照）は現時点の最新技術を代表するものである。
【０００３】
【特許文献１】米国特許第５，８３９，３０８号明細書
【特許文献２】米国特許第５，７８４，９１０号明細書
【特許文献３】米国特許第５，５２０，０３５号明細書
【発明の開示】
【発明が解決しようとする課題】
【０００４】
本発明は、改良型の鍵操作式錠ならびにそれに有用な鍵および鍵素材を提供しようとするものである。
【課題を解決するための手段】
【０００５】
本発明の好ましい一実施形態によれば、鍵素材は、長手方向に延在する鍵刻み領域を上に形成するように構成される少なくとも１つの平らな表面を形成する柄を含み、その長手方向に延在す領域は、複数の第１の鍵刻みに適合するように配置されかつ対応するピンを望ましい分断線位置に位置決めするように構成される少なくとも１つの第２の鍵刻みがその上に予め形成されている。
【０００６】
好ましくは、その少なくとも１つの第２の鍵刻みは、回転表面に沿った少なくとも第１の凹部と、この回転表面よりも深く刻まれる少なくとも第２の凹部と、を形成する。さらに、第１の凹部は複数の第１の鍵刻みの全体構造に対応する。
【０００７】
本発明の好ましい一実施形態によれば、鍵は、長手方向に延在する鍵刻み領域を上に形成するように構成される少なくとも１つの平らな表面を形成する柄を含み、その長手方向に延在する領域は、複数の第１のピンを望ましい分断線位置に位置決めするように構成される複数の第１の鍵刻みがその上に形成され、かつ対応する少なくとも１つの第２のピンを望ましい分断線位置に位置決めするように構成される少なくとも１つの第２の鍵刻みがその上に予め形成される。
【０００８】
好ましくは、その少なくとも１つの第２の鍵刻みは、回転表面に沿った少なくとも第１の凹部と、この回転表面よりも深く刻まれる少なくとも第２の凹部と、を形成する。さらに、第１の凹部は複数の第１の鍵刻みの全体構造に対応する。
【０００９】
本発明の好ましい一実施形態によれば、シリンダと鍵との組合せは、ピン作動式シリンダは、シリンダ本体と、そのシリンダ本体の内部で回転自在でありかつ鍵穴を形成するプラグと、第１のピン組立体および少なくとも１つの第２のピン組立体であって、鍵穴と連通し、さらにシリンダ本体に対してプラグを回転可能にするように、シリンダ本体とプラグとの間の分断線に対して各ピン組立体を位置決めするために鍵穴の中に挿入される鍵の上の鍵刻みによって選択的に位置決め可能である第１のピン組立体および少なくとも１つの第２ピン組立体と、を含み、鍵は、長手方向に延在する鍵刻み領域を上に形成するように構成される少なくとも１つの平らな表面を形成する柄を含み、長手方向に延在する領域は、複数の第１のピンを望ましい分断線位置に位置決めするように構成される複数の第１の鍵刻みがその上に形成され、かつ対応する少なくとも１つの第２のピン組立体を望ましい分断線位置に位置決めするように構成される少なくとも１つの第２の鍵刻みがその上に予め形成されている。
【００１０】
好ましくは、複数の第１の鍵刻みは、第１のピン組立体と構成が対応する第１の凹みを形成し、さらに少なくとも１つの第２の鍵刻みは、その第１の凹みに対応しかつ第１のピン組立体を望ましい分断線位置に位置決めするように構成される少なくとも第１の凹部と、第１の凹部よりも深く刻まれかつ少なくとも１つの第２のピン組立体を望ましい分断線位置に位置決めするように構成される少なくとも第２の凹部と、を形成する。さらに、複数の第１の鍵刻みは、第２のピン組立体を望ましい分断線位置に位置決めすることができない。別法としてまたは追加的に、少なくとも１つの第２の鍵刻みは、第２のピン組立体を望ましい分断線位置に位置決めすることが可能であり、かつ第１のピン組立体を望ましい分断線位置に位置決めすることが可能である。別法としてまたは追加的に、第２のピン組立体は多部分ピンを含む。
【００１１】
本発明の別の実施の形態によれば、複数の通常の鍵刻みを上に形成するように配置され、さらに対応する非通常のピンを望ましい分断線位置に位置決めしかつ対応する通常のピンを望ましい分断線位置に位置決めするように構成される少なくとも１つの非通常の後方互換性(backward compatible)の鍵刻みを上に予め形成した柄を含む鍵素材も提供される。
【００１２】
好ましくは、少なくとも１つの非通常の鍵刻みは回転表面を形成しない。別法としてまたは追加的に、複数の通常の鍵刻みは回転表面を形成し、また少なくとも１つの非通常の鍵刻みは回転表面の一部を形成し、その回転表面の残りの部分は、より深い凹みを形成するためにさらに刻まれる。
【００１３】
本発明の別の実施の形態によれば、複数の通常の鍵刻みと、対応する非通常のピンを望ましい分断線位置に位置決めしかつ対応する通常のピンを望ましい分断線位置に位置決めするように構成される少なくとも１つの非通常の後方互換性の鍵刻みと、を上に形成した柄を含む鍵も提供される。
【００１４】
好ましくは、少なくとも１つの非通常の鍵刻みは回転表面を形成しない。別法としてまたは追加的に、複数の通常の鍵刻みは回転表面を形成し、また少なくとも１つの非通常の鍵刻みは回転表面の一部を形成し、その回転表面の残りの部分は、より深い凹みを形成するためにさらに刻まれる。
【００１５】
本発明のさらに別の実施の形態によれば、  長手方向に延在する鍵刻み領域を上に形成するように構成される少なくとも１つの平らな表面を形成する柄を含む鍵素材であって、長手方向に延びる領域は、複数の第１の鍵刻みに適合するように配置され、かつ対応する少なくとも１つの第２のピン組立体を望ましい分断線位置に位置決めするように構成される少なくとも１つの第２の鍵刻みがその上に予め形成され、複数の第１の鍵刻みは、複数の第１のピン組立体と構成が対応する第１の凹みを形成し、少なくとも１つの第２の鍵刻みは、第１の凹みに対応しかつ複数の第１のピン組立体を望ましい分断線位置に位置決めするように構成される少なくとも第１の凹部と、第１の凹部よりも深く刻まれかつ前記少なくとも１つの第２のピン組立体を望ましい分断線位置に位置決めするように構成される少なくとも第２の凹部と、を形成する鍵素材がさらに提供される。
【００１６】
好ましくは、複数の第１の鍵刻みは、少なくとも１つの第２のピン組立体を望ましい分断線位置に位置決めできない。追加的にはまたは別法として、少なくとも１つの第２の鍵刻みは、少なくとも１つの第２のピン組立体を望ましい分断線位置に位置決めすることが可能であり、かつ第１のピン組立体を望ましい分断線位置に位置決めすることが可能である。
【００１７】
本発明は、図面と一緒に採用した以下の詳細な説明からさらに十分に了解かつ理解されよう。
【発明を実施するための最良の形態】
【００１８】
ここで図１Ａおよび１Ｂを参照すると、これらは、本発明の好ましい一実施形態にしたがって構成されかつ操作される鍵操作式錠シリンダ(key-operated lock cylinder)および鍵が施錠定位置(locked orientation)にあることを示す断面図である。図１Ａおよび１Ｂで分かるように、シリンダは、これらの図では全体として参照符号１００によって示され、穴１０４を形成するシリンダ本体１０２を含む。プラグ１０６は、シリンダ本体１０２中の穴１０４の内部に回転自在に配置されて、鍵穴１０８と、それに連通する第１の円筒形プラグピン穴１１０とを形成し、また対応する第１の円筒形本体ピン穴１１２がシリンダ本体１０２内に形成される。
【００１９】
本発明の好ましい一実施形態によれば、鍵穴１０８に連通する少なくとも１つの第２の円筒形プラグピン穴１２０が設けられ、また少なくとも１つの対応する第２の円筒形本体ピン穴１２２が本体シリンダ１０２内に形成される。第１のピン穴１１０および１１２が概ね通常の円形円筒構造(circular cylindrical configuration)を有し、また第２のピン穴１２０および１２２は、典型的には、図示の実施形態のおける楕円形円筒構造などの非円形円筒構造(non-circular cylindrical configuration)を有するが故に、第２のピン穴１２０および１２２は、一般に第１のピン穴１１０および１１２とは異なる。
【００２０】
第１のプラグピン１３０および第１の本体ピン１３２は、それぞれの第１のプラグピン穴１１０および第１の本体ピン穴１１２の中に動作可能に配置されている。第２のプラグピン１４０および第２の本体ピン１４２は、それぞれの第２のプラグピン穴１２０および第２の本体ピン穴１２２の中に動作可能に配置されている。ばね１４４は、通常の様態で本体ピン１３２および１４２に作用的に関連する。
【００２１】
第１の本体ピン１３２が概ね通常の円形円筒構造を有する一方で、第２の本体ピン１４２が、典型的には、図示の実施形態のおける楕円形円筒構造などの非円形円筒構造を有するために、第２の本体ピン１４２は、一般に第１の本体ピン１３２とは異なる。
【００２２】
第１のプラグピン１３０が概ね通常の円形円筒構造を有する一方で、第２のプラグピン１４０が、典型的には、図示の実施形態のおける楕円形円筒構造などの非円形円筒構造を有するために、第２のプラグピン１４０は、一般に第１のプラグピン１３０とは異なる。また、第１のプラグピン１３０が通常の円対称の円錐ピン頭構造を有する一方で、第２のプラグピン１４０が図５Ａ〜５Ｆに詳細に示すような非円対称の頭構造を有するために、第２のプラグピン１４０は、一般に第１のプラグピン１３０とは異なる。
【００２３】
第１のプラグピン１３０および第２のプラグピン１４０は、鍵穴１０８に通じており、鍵が鍵穴に挿入されるときに、鍵上の鍵刻み(key cuts)によって、シリンダ本体１１０とプラグ１０６との間の分断線１４８に対して選択的に位置決め可能であって、シリンダ本体１００に対してプラグ１０６を回転可能とする。図１Ａおよび１Ｂにおいて、これらの図に参照符号１５０によって示されている鍵は、鍵穴１０８の中に挿入されておらず、そのため様々なプラグピンおよび本体ピンは、分断線１４８に沿って相互に分断されるようには位置合わせされていない。
【００２４】
ここで図２Ａおよび２Ｂを参照すると、これらは、解錠定位置(open orientation)にある図１Ａおよび１Ｂの鍵操作作動式錠シリンダと鍵を示し、鍵１５０は鍵穴１０８の中に完全に挿入されている。
【００２５】
図２Ａおよび２Ｂで分かるように、鍵１５０は少なくとも１つの平らな表面１５４を形成する柄１５２を含み、その表面上に、長手方向に延びる鍵刻み領域１５６を形成するように構成されている。この長手方向に延びる領域１５６は、その上に、複数の通常の概ね円錐形の第１の鍵刻み１５８が形成され、それは、第１のプラグピン１３０と第１の本体ピン１３２との間の係合を分断線１４８に位置決めするように構成されており、さらにこの領域上には、図示のように、少なくとも１つの第２の鍵刻み１６０の少なくとも一部が予め形成されており、それは、非円錐形で非円対称の構造であって、対応する少なくとも１つの第２のプラグピン１４０と少なくとも１つの第２の本体ピン１４２とを分断線１４８に位置決めように構成されている。
【００２６】
ここで図３Ａおよび３Ｂを参照すると、これらは、施錠定位置における図１Ａ〜２Ｂの鍵操作式錠シリンダを示す断面図であり、そのシリンダの中に通常の鍵１６２が挿入されている。この通常の鍵は第２の鍵刻みを含まず、そのため、図示のように、第２のプラグピン１４０と第２の本体ピン１４２との係合を分断線１４８に位置決めしない。
【００２７】
ここで図４Ａおよび４Ｂを参照すると、これらは、解錠定位置における通常の鍵操作式錠シリンダ１７０を示す断面図であり、第２の鍵刻み１６０に通常の第１のプラグピンが係合するように、そのシリンダの中に図１Ａ〜２Ｂに示した種類の鍵１５０が挿入されている。第１のプラグピンに適合して、分断線１４８に沿って第１のプラグピン１３０と第１の本体ピン１３２との係合を位置決めするような第２の鍵刻み１６０の構成が、本発明の特有の特徴である。したがって、第２の鍵刻みを有する鍵は、第２のピンを含まない通常のシリンダに有用であることが理解できる。
【００２８】
ここで、図５Ａ〜５Ｆを参照すると、これらは、図１Ａ〜２Ｂに示した種類の鍵と協動する図１Ａ〜３Ｂのシリンダにおいて有用な好ましい第２のプラグピン１７５の６つの異なる図である。図５Ａは描画的な図であり、図５Ｂは側面図であり、図５Ｃは図５Ｂの線ＶＣ−ＶＣに沿う断面図であり、図５Ｄは側面図であり、図５Ｅは図５Ｄの線ＶＥ−ＶＥに沿う断面図であり、さらに図５Ｆは上面図である。
【００２９】
図５Ａ〜５Ｆは、長軸１８０および短軸１８２を形成する概ね楕円形の円筒構造を有するプラグピンを示し、プラグピン穴内におけるプラグピンの回転を許容しない任意の全体構造が、別法として使用可能であることは理解される。プラグピンの頭は、短軸１８２に沿って延在する細長い概ね四角形の突出部１８４と、この突出部１８４のそれぞれの側から下向きに延在する傾斜平面１８６とを形成する。第２の円錐表面１９０につながる第１の円錐表面１８８は、突出部１８４のそれぞれの端部から下向きに延在する。第１および第２の中断された細長い突出部１９２および１９４は、それぞれの第２の円錐表面１９０の両側に延在する。
【００３０】
ここで図６Ａおよび６Ｂを参照すると、これらはそれぞれ、本発明の好ましい一実施形態にしたがって構成されかつ動作する鍵素材(key blank)の平面図および断面図である。図６Ａおよび６Ｂにおいて分かるように、この鍵素材は、頭部２００と胴部分柄部分２０２とを備え、好ましくは、第１および第２の逆向きの平らな表面２０４および２０６を有する平坦なブレードの形態である。平らな表面２０４および２０６には、それぞれが参照符号２０８および２１０ならびに２１２および２１４によって示される１対の複数の案内溝が形成され、それらは、それぞれの表面上に鍵刻み領域を形成する。本発明の好ましい一実施形態によれば、１対の複数の追加的な溝は、それぞれの平らな表面２０４および２０６の鍵刻み領域内の少なくとも１つの鍵刻み位置に形成される。これらの追加的な溝は、それぞれ、参照符号２１８および２２０ならびに２２２および２２４によって示される。
【００３１】
本発明の特有の特定的な特徴は、追加的な溝２１８〜２２４が上述した第２の鍵刻みの一部を形成し、かつ上述した第１の鍵刻みが存在しないことである。
【００３２】
図６Ａおよび６Ｂに示されるように概ね構成された鍵素材は、異なる鍵刻み位置に選択的に配置した追加的な溝を有し、これによって第２の鍵刻み位置を形成することができる。所与の第２の鍵刻み位置を有する図６Ａおよび６Ｂに示した種類の鍵素材の選択的配分(selective distribution)によって、対応する第２の鍵刻み位置を有する鍵の刻みが、それに応じて限定されることが理解される。
【００３３】
ここで図７Ａ〜７Ｅを参照すると、これらは、それぞれ、図６Ａおよび６Ｂに示した種類の一部鍵刻みされた鍵素材の描画的な図、平面図、および複数の断面図である。図７Ａ〜７Ｅの鍵素材は、図６Ａおよび６Ｂの鍵素材と同一であり、各対の複数の追加的な溝の上方に、第１の鍵刻みのものと同様の概ね円錐台の構造を有する追加的な鍵刻みが形成され、したがって、平らな表面２０４および２０６のそれぞれの上に第２の鍵刻みを完全に形成する。この第２の鍵刻みは、追加的な溝と追加的な円錐台の鍵刻みとの組合せであり、平らな表面２０４上の参照符号２３４によって、かつ平らな表面２０６上の参照符号２３６によって識別される。
【００３４】
図７Ａ〜７Ｅに示されるように概ね構成された鍵素材は、異なる鍵刻み位置に選択的に配置された第２の鍵刻みを有し、それによって第２の鍵刻み位置を形成することができる。所与の第２の鍵刻み位置を有する図７Ａ〜７Ｅに示した種類の鍵素材の選択的配分によって、対応する第２の鍵刻み位置を有する鍵の刻みが、それに応じて限定されることが理解される。
【００３５】
ここで図８Ａ〜８Ｅを参照すると、これらは、それぞれ、図７Ａ〜７Ｅに示した種類の一部鍵刻みされた鍵素材から作製した鍵の描画的な図、平面図、および複数の断面図である。図８Ａ〜８Ｅの鍵と図７Ａ〜７Ｅの鍵素材との違いは、平らな表面２０４および２０６のそれぞれの上の鍵刻み領域に沿って、追加的な位置に第１の鍵刻みが追加されていることにある。これらの追加的な鍵刻みは、平らな表面２０４上の参照符号２４４によって全体として示され、平らな表面２０６上には示されていない。
【００３６】
ここで図９Ａ〜９Ｅを参照すると、これらは、それぞれ、図７Ａ〜７Ｅに示した種類の一部鍵刻みされた鍵素材から作製した鍵が、図５Ａ〜５Ｆのプラグピンと作用的に係合しているときの描画的な図、平面図、および複数の断面図である。図９Ａ〜９Ｅは、第２の鍵刻み２３４に対するプラグピン１７５（図５Ａ〜５Ｅ）の係合を示す。細長い突出部１９２および１９４（図５Ａ〜５Ｅ）を受け入れる追加的な溝２１８および２２０（図６Ａおよび６Ｂ）を第２の鍵刻み２３４の中の設けたことにより、ピン１７５が第２の鍵刻みの中に完全に着座できるようになっていることが分かる。ピン１７５は、第１の鍵刻みの中に完全に着座できなかったことが理解される。したがって、適切に配置された第２の鍵刻みを含まない鍵は、本明細書において説明される種類の非通常型のシリンダ(non-conventional cylinders)を操作させることができない。
【００３７】
ここで図１０Ａ〜１０Ｆを参照すると、これらは、図１１Ａおよび１１Ｂに示され種類の鍵と協働する図１Ａ〜図３Ｂのシリンダにおいて有用な別の好ましい第２のプラグピン２７５の６つの異なる図である。図１０Ａは描画的な図であり、図１０Ｂは側面図であり、図１０Ｃは図１０Ｂの線ＸＣ−ＸＣに沿う断面図であり、図１０Ｄは側面図であり、図１０Ｅは図１０Ｄの線ＸＥ−ＸＥに沿う断面図であり、さらに図１０Ｆは上面図である。
【００３８】
図１０Ａ〜１０Ｆは、長軸２８０および短軸２８２を形成する概ね楕円形円筒構造を有するプラグピン２７５を示し、プラグピン穴の中でのプラグピンの回転を許容しない任意の全体構造が、別法として使用可能であることが理解される。プラグピンの頭は、参照符号２８３で示されるように、一部が切り取られ、かつ短軸２８２に沿って延在する細長い概ね四角形の突出部２８４と、この突出部２８４のそれぞれの側から下向きに延在する傾斜平面２８６とを形成する。第２の円錐表面２９０につながる第１の円錐表面２８８は、突出部２８４の一端から下向きに延在する。中断された細長い突出部２９２は、第２の円錐表面２９０の両側に延在する。
【００３９】
ここで図１１Ａおよび１１Ｂを参照すると、これらは、それぞれ、本発明の好ましい別の実施の形態にしたがって構成されかつ動作する鍵素材の平面図および断面図である。図１１Ａおよび１１Ｂにおいて分かるように、この鍵素材は、頭部３００と胴部分柄部分３０２とを備え、好ましくは、第１の逆向きの平らな表面３０４および第２の逆向きの平らな表面３０６を有する平坦なブレードの形態である。平らな表面３０４および３０６上に、それぞれが参照符号３０８および３１０ならびに３１２および３１４によって示される１対の複数の案内溝が形成され、それらは、それぞれの表面上に鍵刻み領域を形成する。本発明の好ましい一実施形態によれば、追加的な溝が、それぞれの平らな表面３０４および３０６の鍵刻み領域内の少なくとも１つの鍵刻み位置に形成される。追加的な溝は、それぞれ参照符号３１８および３２２によって示される。
【００４０】
本発明の特有の特徴は、追加的な溝３１８および３２２が上述した第２の鍵刻みの一部を形成し、かつ上述した第１の鍵刻みが存在していないことである。
【００４１】
図１１Ａおよび１１Ｂに示されるように概ね構成される鍵素材は、異なる鍵刻み位置に選択的に配置される追加的な溝を有し、それによって第２の鍵刻み位置を形成することができる。所与の第２の鍵刻み位置を有する図１１Ａおよび１１Ｂに示した種類の鍵素材の選択的配分によって、対応する第２の鍵刻み位置を有する鍵の刻みが、それに応じて限定されることが理解される。
【００４２】
ここで図１２Ａ〜１２Ｅを参照すると、これらは、それぞれ、図１１Ａおよび１１Ｂに示される種類の一部を鍵刻みした鍵素材の描画的な図、平面図、および複数の断面図である。図１２Ａ〜１２Ｅの鍵素材は、図１１Ａおよび１１Ｂの鍵素材と同一であり、それぞれの追加的な溝の上方に、第１の鍵刻みのものと同様の概ね円錐台の構造を有する追加的な鍵刻みが形成され、したがって、平らな表面３０４および３０６のそれぞれの上に第２の鍵刻みを完全に形成する。この第２の鍵刻みは、追加的な溝と追加的な円錐台の鍵刻みとの組合せであり、平らな表面３０４上の参照符号３３４によって、かつ平らな表面３０６上の参照符号３３６によって識別される。
【００４３】
図１２Ａ〜１２Ｅに示されるように概ね構成される鍵素材は、異なる鍵刻み位置に選択的に配置される第２の鍵刻みを有し、それによって第２の鍵刻み位置を形成することができる。所与の第２の鍵刻み位置を有する図１２Ａ〜１２Ｅに示した種類の鍵素材の選択的配分によって、対応する第２の鍵刻み位置を有する鍵の刻みが、それに応じて限定されることが理解される。
【００４４】
ここで図１３Ａ〜１３Ｅを参照すると、これらは、それぞれ、図１２Ａ〜１２Ｅに示した種類の一部鍵刻みされた鍵素材から作製した鍵の描画的な図、平面図、および複数の断面図である。図１３Ａ〜１３Ｅの鍵と図１２Ａ〜１２Ｅの鍵素材との違いは、平らな表面３０４および３０６のそれぞれの上の鍵刻み領域に沿って、追加的な位置に第１の鍵刻みが追加されていることである。これらの追加的な鍵刻みは、平らな表面３０４上の参照符号３４４によって概ね示され、平らな表面３０６上には示されない。
【００４５】
ここで図１４Ａ〜１４Ｅを参照すると、これらは、それぞれ、図１０Ａ〜１０Ｆのプラグピンと作用的に係合する図１２Ａ〜１２Ｅに示した種類の一部鍵刻みされた鍵素材から作製した鍵の描画的な図、平面図、および複数の断面図である。図１４Ａ〜１４Ｅは、第２の鍵刻み３３４に対するプラグピン２７５（図１０Ａ〜１０Ｅ）の係合を示す。第２の鍵刻み３３４内に追加的な溝３１８（図１１Ａおよび１１Ｂ）を設けたことにより、ピン２７５が第２の鍵刻み内に完全に着座できるようになっていることが分かる。ピン２７５は、第１の鍵刻み内には完全に着座できなかったことが理解される。したがって、適切に配置された第２の鍵刻みを含まない鍵は、本明細書で説明した種類の非通常型のシリンダを操作させることができない。
【００４６】
ここで図１５Ａ〜１５Ｄを参照すると、これらは、それぞれ、本発明の好ましいさらに別の実施の形態にしたがって作製されかつ動作する鍵素材の平面図および複数の断面図である。図１５Ａ〜１５Ｄにおいて分かるように、この鍵素材は、頭部４００と胴部分柄部分４０２とを備え、好ましくは、第１および第２の逆向きの平らな表面４０４および４０６を有する平坦なブレードの形態である。平らな表面４０４および４０６上には、それぞれに参照符号４０８および４１０ならびに４１２および４１４によって示される１対の複数の案内溝（それぞれに参照符号４０８および４１０ならびに４１２および４１４によって示すが形成され、それは、それらの表面上に鍵刻み領域を形成する。本発明の好ましい一実施形態によれば、複数の対の複数の追加的な溝が、それぞれの平らな表面４０４および４０６の鍵刻み領域内の複数の鍵刻み位置に形成される。これらの追加的な溝はそれぞれ、参照符号４１７、４１８、４１９、および４２０、ならびに４２１、４２２、４２３、および４２４によって示される。
【００４７】
本発明の特有の特徴は、追加的な溝４１７〜４２４が上述した第２の鍵刻みの一部を形成し、かつ上述した第１の鍵刻みが存在しないことである。
【００４８】
図１５Ａ〜１５Ｄに示されるように概ね構成される鍵素材は、異なる鍵刻み位置に選択的に配置される１つ以上の溝を有し、これによって第２の鍵刻み位置を形成することができる。所与の第２の鍵刻み位置を有する図１５Ａ〜１５Ｄに示した種類の鍵素材の選択的配分によって、対応する第２の鍵刻み位置を有する鍵の刻みが、それに応じて限定されることが理解される。
【００４９】
ここで図１６Ａ〜１６Ｇを参照すると、これらは、それぞれ、図１５Ａ〜１５Ｄに示した種類の一部鍵刻みされた鍵素材の描画的な図、平面図、および複数の断面図である。図１６Ａ〜１６Ｇの鍵素材は、図１５Ａ〜１５Ｄの鍵素材と同一であり、各対の複数の追加的な溝の上方に、第１の鍵刻みのものと同様の概ね円錐台の構造をそれぞれに有する追加的な鍵刻みが形成され、したがって、それぞれの平らな表面４０４および４０６の上に第２の鍵刻みを完全に形成する。この第２の鍵刻みは、それぞれが１対の追加的な溝と追加的な円錐台の鍵刻みとの組合せであり、平らな表面４０４上の参照符号４３４によって、かつ平らな表面４０６上の参照符号４３５によって識別される。それぞれが追加的な溝と追加的な円錐台の鍵刻みとの組合せである追加的な第２の鍵刻みは、平らな表面４０４上の参照符号４３６および４３７によって、かつ平らな表面４０６上の参照符号４３８および４３９によって識別される。
【００５０】
図１６Ａ〜１６Ｇに示されるように概ね構成される鍵素材は、異なる鍵刻み位置に選択的に配置される第２の鍵刻みを有し、それによって第２の鍵刻み位置を形成することができる。所与の第２の鍵刻み位置を有する図１６Ａ〜１６Ｇに示した種類の鍵素材の選択的配分によって、対応する第２の鍵刻み位置を有する鍵の刻みが、それに応じて限定されることが理解される。
【００５１】
ここで図１７Ａ〜１７Ｇを参照すると、これらは、それぞれ、図１６Ａ〜１６Ｇに示した種類の一部鍵刻みされた鍵素材から作製した鍵の描画的な図、平面図、および複数の断面図である。図１７Ａ〜１７Ｇの鍵と図１６Ａ〜１６Ｇの鍵素材との違いは、平らな表面４０４および４０６のそれぞれの上の鍵刻み領域に沿って追加的な位置に第１の鍵刻みが追加されていることである。これらの追加的な鍵刻みは、平らな表面４０４上の参照符号４４４によって概ね示され、平らな表面４０６上には示されない。
【００５２】
ここで図１８Ａ〜１８Ｇを参照すると、これらは、それぞれ、図５Ａ〜５Ｆおよび図１０Ａ〜１０Ｆのプラグピンと作用的に係合している図１６Ａ〜１６Ｇに示した種類の一部鍵刻みされた鍵素材から作製した鍵の描画的な図、平面図、および複数の断面図である。図１８Ａ〜１８Ｇは、プラグピン１７５（図５Ａ〜５Ｅ）の第２鍵刻み４３４との係合と、プラグピン２７５（図１０Ａ〜１０Ｆ）の第２の鍵刻み４３６および４３７との係合を示す。細長い突出部１９２および１９４（図５Ａ〜５Ｅ）と細長い突出部２９２（図１０Ａ〜１０Ｅ）とを受け入れる追加的な溝を第２の鍵刻みの中に設けたことにより、ピン１７５および２７５は、第２の鍵刻みの中に完全に着座できるようになっていることが分かる。ピン１７５および２７５は、第１の鍵刻みの中に完全に着座できなかったことが理解される。したがって、適切に配置された第２の鍵刻みを含まない鍵は、本明細書で説明した種類の非通常型のシリンダを操作することができない。
【００５３】
ここで図１９Ａ〜１９Ｄを参照すると、これらは、それぞれ、本発明の好ましいさらに別の実施の形態にしたがって作製されかつ動作する鍵素材の平面図および複数の断面図である。図１９Ａ〜１９Ｄにおいて分かるように、この鍵素材は、頭部５００と胴部分柄部分５０２とを備え、好ましくは、第１および第２の逆向きの平らな表面５０４および５０６を有する平坦なブレードの形態である。平らな表面５０４および５０６上に、それぞれが参照符号５０８および５１０ならびに５１２および５１４によって示される１対の複数の案内溝が形成され、それは、それぞれの表面上に鍵刻み領域を形成する。本発明の好ましい一実施形態によれば、それぞれの平らな表面５０４および５０６の鍵刻み領域内の複数の鍵刻み位置に、複数の対の複数の追加的な溝が形成される。これらの追加的な溝は、それぞれ、参照符号５１７、５１８、５１９、および５２０ならびに５２１、５２２、５２３、および５２４によって示され、かつ異なる深さを有するように示される。
【００５４】
本発明の特有の特徴は、追加的な溝５１７〜５２４が上述した第２の鍵刻みの一部を形成し、かつ上述した第１の鍵刻みが存在しないことである。
【００５５】
図１９Ａ〜１９Ｄに示されるように概ね構成される鍵素材は、異なる鍵刻み位置に選択的に配置される１つ以上の追加的な溝を有し、それによって第２の鍵刻み位置を形成することができる。所与の第２の鍵刻み位置を有する図１９Ａ〜１９Ｄに示した種類の鍵素材の選択的配分によって、対応する第２の鍵刻み位置を有する鍵の刻みは、それに応じて限定されることが理解される。異なる深さの溝の用意は、親鍵(mastering keys)で使用するために適切な機能を与える。
【００５６】
ここで図２０Ａ〜２０Ｇを参照すると、これらは、それぞれ、図１９Ａ〜１９Ｄに示した種類の一部鍵刻みされた鍵素材の描画的な図、平面図、および複数の断面図である。図２０Ａ〜２０Ｇの鍵素材は、図１９Ａ〜１９Ｄの鍵素材と同一であり、各対の複数の追加的な溝の上方に、第１の鍵刻みのものと同様の概ね円錐台の構造をそれぞれに有する追加的な鍵刻みが形成され、したがって、それぞれの平らな表面５０４および５０６の上に第２の鍵刻みを完全に形成する。この第２の鍵刻みは、それぞれが１対の複数の追加的な溝と追加的な円錐台の鍵刻みとの組合せであり、平らな表面５０４上の参照符号５３４によって、また平らな表面５０６上の参照符号５３５によって識別される。それぞれが追加的な溝と追加的な円錐台の鍵刻みとの組合せである追加的な第２の鍵刻みは、平らな表面５０４上の参照符号５３６および５３７によって、また平らな表面５０６上の参照符号５３８および５３９によって識別される。
【００５７】
図２０Ａ〜２０Ｇに示されるように概ね構成される鍵素材は、異なる鍵刻み位置に選択的に配置される追加的な溝を有し、それによって第２の鍵刻み位置を形成することができる。所与の第２の鍵刻み位置を有する図２０Ａ〜２０Ｇに示した種類の鍵素材の選択的配分によって、対応する第２の鍵刻み位置を有する鍵の刻みは、それに対応して限定されることが理解される。異なる深さの溝の用意は、親鍵で使用するために適切な機能を与える。
【００５８】
ここで図２１Ａ〜２１Ｇを参照すると、これらは、それぞれ、図２０Ａ〜２０Ｇに示した種類の一部鍵刻みされた鍵素材から作製した鍵の描画的な図、平面図、および複数の断面図である。図２１Ａ〜２１Ｇの鍵と図２０Ａ〜２０Ｇの鍵素材との違いは、平らな表面５０４および５０６のそれぞれの上の鍵刻み領域に沿って、追加的な位置に第１の鍵刻みが追加されていることである。これらの追加的な鍵刻みは、平らな表面５０４上の参照符号５４４によって概ね示され、平らな表面５０６上には示されない。
【００５９】
ここで図２２Ａ〜２２Ｇを参照すると、これらは、それぞれ、図５Ａ〜５Ｆおよび図１０Ａ〜１０Ｆのプラグピンと作用的に係合している図２０Ａ〜２０Ｇに示した種類の一部鍵刻みされた鍵素材から作製した鍵の描画的な図、平面図、および複数の断面図である。図２２Ａ〜２２Ｇは、プラグピン１７５（図５Ａ〜５Ｆ）の第２の鍵刻み５３４との係合、およびプラグピン２７５（図１０Ａ〜１０Ｆ）の第２の鍵刻み５３６および５３７との係合を示す。細長い突出部１９２および１９４（図５Ａ〜５Ｆ）および２９２（図１０Ａ〜１０Ｆ）を受け入れる追加的な溝を第２の鍵刻みの中に設けたことにより、ピン１７５および２７５は、第２の鍵刻みの中に完全に着座できるようになっていることが分かる。ピン１７５および２７５は、第１の鍵刻みの中に完全に着座できなかったことが理解される。したがって、適切に配置された第２の鍵刻みを含まない鍵は、本明細書にて説明される種類の非通常型のシリンダを操作させることができない。
【００６０】
ここで図２３Ａおよび２３Ｂを参照すると、これらは、本発明の好ましい一実施形態にしたがって作製されかつ動作する鍵操作式錠シリンダおよび鍵の断面図であり、施錠定位置にある。図２３Ａおよび２３Ｂにおいて分かるように、このシリンダは、これらの図では参照符号６００によって概ね示され、内穴６０４を形成するシリンダ本体６０２を含む。プラグ６０６は、シリンダ本体６０２内の内穴６０４の内部に回転自在に配置され、鍵穴６０８と、この鍵穴に通じる第１の円筒形プラグピン穴６１０とを形成し、さらに対応する第１の円筒形本体ピン穴６１２がシリンダ本体６０２内に形成される。
【００６１】
本発明の好ましい一実施形態によれば、鍵穴６０８に通じる少なくとも１つの第２の円筒形プラグピン穴６２０が設けられ、さらに少なくとも１つの対応する第２の円筒形本体ピン穴６２２が本体シリンダ６０２内に形成される。第１のピン穴６１０および６１２が概ね通常の円形円筒構造を有する一方で、第２のピン穴６２０および６２２が、典型的には、図示の実施形態における楕円形円筒構造などのような非円形円筒構造を有するために、第２のピン穴６２０および６２２は、一般に第１のピン穴６１０および６１２とは異なる。
【００６２】
第１のマルチパート(multi-part)プラグピン６３０および第１のマルチパート(multi-part)本体ピン６３２は、それぞれの第１のプラグピン穴６１０および第１の本体ピン穴６１２の中に作用的に配置される。第２のマルチパート(multi-part)プラグピン６４０および第２のマルチパート(multi-part)本体ピン６４２は、それぞれの第２のプラグピン穴６２０および第２の本体ピン穴６２２の中に作用的に配置される。ばね６４４および６４５は、従来通りにマルチパート本体ピン６３２および６４２と作用的に関係する。
【００６３】
第１のマルチパート本体ピン６３２が概ね通常の円形円筒構造を有する一方で、第２のマルチパート本体ピン６４２が、典型的には、図示の実施形態のような楕円形円筒構造などの非円形円筒構造を有するために、第２のマルチパート多部分本体ピン６４２は、一般に第１のマルチパート本体ピン６３２とは異なる。
【００６４】
第１のマルチパートプラグピン６３０が概ね通常の円形円筒構造を有する一方で、第２のマルチパートプラグピン６４０が、典型的には、図示の実施形態のように楕円形円筒構造などの非円形円筒構造を有するため、第２のマルチパート多部分プラグピン６４０は、一般に第１のマルチパートプラグピン６３０とは異なる。また、第１のマルチパートプラグピン６３０が通常の円対称の円錐ピン頭構造を有する一方で、第２のマルチパートプラグピン６４０が、図２７Ａ〜２７Ｆに詳細に示されるように非円対称の頭構造を有するため、第２のマルチパートプラグピン６４０は、一般に第１のマルチパートプラグピン６３０とは異なる。
【００６５】
第１および第２のマルチパートプラグピン６３０および６４０は、鍵穴６０８に通じており、鍵が鍵穴に挿入されるとき、その上の鍵刻みによって、シリンダ本体６００に対してプラグ６０６を回転可能とするように、シリンダ本体６１０とプラグ６０６との間の分断線６４８に対して選択的に位置決め可能である。図２３Ａおよび２３Ｂにおいて、鍵は、これらの図に参照符号６５０によって示され、鍵穴６０８の中に挿入されておらず、したがって様々なマルチパートのプラグピンおよび本体ピンは、分断線６４８に沿って相互に分断されるようには位置合わせされない。
【００６６】
ここで図２４Ａおよび２４Ｂを参照すると、これらは、解錠定位置にある図２３Ａおよび２３Ｂの鍵操作式錠シリンダおよび鍵を示し、この位置では、鍵６５０が鍵穴６０８内に完全に挿入される。
【００６７】
図２４Ａおよび２４Ｂにおいて分かるように、鍵６５０は、少なくとも１つの平らな表面６５４を形成画定する柄６５２を含み、その柄は、その表面上に長手方向に延在する鍵刻み領域６５６を形成するように構成される。その長手方向に延在する領域６５６は、その上に、第１のマルチパート(multi-part)）プラグピン６３０と第１のマルチパート(multi-part)本体ピン６３２との間の係合を分断線６４８に位置決めするように構成された複数の通常の概ね円錐形の第１の鍵刻み６５８が形成されており、さらに、その領域上には、図示のように、対応する少なくとも１つの第２のマルチパート(multi-part)プラグピン６４０と少なくとも１つの第２のマルチパート(multi-part)本体ピン６４２とを分断線６４８に位置決めするために、非円錐形で非円対称の構造の構成された少なくとも１つの第２の鍵刻み６６０の少なくとも一部が予め形成されている。
【００６８】
ここで図２５Ａおよび２５Ｂを参照すると、これらは、通常の鍵６６２が挿入される施錠定位置における図２３Ａ〜２３Ｂの鍵操作式錠シリンダの断面図である。その通常の鍵は第２の鍵刻みを含んでおらず、したがって、図示のように、第２のプラグピン６４０と第２の本体ピン６４２との係合を分断線６４８に位置決めしない。
【００６９】
ここで図２６Ａ〜２６Ｆを参照すると、これらは、図２３Ａ〜２４Ｂに示される種類の鍵と協動する図２３Ａ〜２５Ｂのシリンダにおいて有用な好ましい第２のマルチパート(multi-part)プラグピン６７５の一部の６つの異なる図である。図２６Ａは描画的な図であり、図２６Ｂは側面図であり、図２６Ｃは図２６Ｂの線ＸＸＶＩＣ−ＸＸＶＩＣに沿う断面図であり、図２６Ｄは側面図であり、図２６Ｅは図２６Ｄの線ＸＸＶＩＥ−ＸＸＶＩＥに沿う断面図であり、さらに図２６Ｆは上面図である。ここで図２７Ａ〜２７Ｆを参照すると、これらは、図２６Ａ〜２６Ｆに示される種類の２つの部分から形成される好ましい第２のマルチパートプラグピン６７５の６つの異なる図であり、それは、図２３Ａ〜２５Ｂのシリンダにおいて有用であり、かつ図２３Ａ〜２４Ｂに示される種類の鍵と協働する。図２７Ａは描画的な図であり、図２７Ｂは側面図であり、図２７Ｃは図２７Ｂの線ＸＸＶＩＩＣ−ＸＸＶＩＩＣに沿う断面図であり、図２７Ｄは側面図であり、図２７Ｅは図２７Ｄの線ＸＸＶＩＩＥ−ＸＸＶＩＩＥに沿う断面図であり、さらに図２７Ｆは上面図である。
【００７０】
図２６Ａ〜２７Ｆは、一体にすると長軸６８０および短軸６８２を形成する概ね楕円形の円筒構造を有する２つの部分から形成されるプラグピンを示し、プラグピン穴内におけるプラグピンの回転を許容しない任意の全体構造が、別法として使用可能であることが理解される。プラグピンの頭は、短軸６８２に沿って延在する細長い概ね四角形の突出部６８４と、その突出部６８４のそれぞれの側から下向きに延在する傾斜平面６８６とを形成する。突出部６８４のそれぞれの端部から下向きに延在する第１の円錐表面６８８は、第２の円錐表面６９０と隣接する。第１および第２の中断される細長い突出部６９２および６９４は、それぞれの第２の円錐表面６９０の両側に延在する。
【００７１】
ここで図２８Ａおよび２８Ｂを参照すると、それらは、それぞれ、本発明の好ましい一実施形態にしたがって構成されかつ動作する鍵素材の平面図および断面図である。図２８Ａおよび２８Ｂにおいて分かるように、その鍵素材は、頭部７００と胴部分柄部分７０２とを備え、好ましくは、第１および第２の逆向きの平らな表面７０４および７０６を有する平坦なブレードの形態である。平らな表面７０４および７０６上には、それぞれが参照符号７０８および７１０ならびに７１２および７１４によって示される１対の複数の案内溝が形成され、それらは、それぞれの表面上に鍵刻み領域を形成する。本発明の好ましい一実施形態によれば、１対の複数の追加的な溝は、それぞれの平らな表面７０４および７０６の鍵刻み領域内の少なくとも１つの鍵刻み位置に形成される。これらの追加的な溝は、それぞれ、参照符号７１８および７２０ならびに７２２および７２４によって示される。
【００７２】
本発明の特有の特徴は、追加的な溝７１８〜７２４が上述した第２の鍵刻みの一部を形成し、かつ上述した第１の鍵刻みが存在しないことである。図２３Ａ〜３５Ｆの実施形態の特有の特徴は、図２７Ａ〜２７Ｆに示すように、マルチパートピンの各部分が異なる長さである場合に、それに応じて追加的な溝７１８〜７２４の深さが異なっていなければならないことである。等しい長さのマルチパートピンと、対応する等しい深さの追加的な溝を備える鍵素材と、を提供可能であることも理解される。
【００７３】
図２８Ａおよび２８Ｂに示されるように概ね構成される鍵素材は、異なる鍵刻み位置に選択的に配置した追加的な溝を有し、それによって第２の鍵刻み位置を形成することができる。図２８Ａおよび２８Ｂに示されて、所与の第２の鍵刻み位置を有する種類の鍵素材の選択的配分によって、対応する第２の鍵刻み位置を有する鍵の刻みは、それに応じて限定されることが理解される。
【００７４】
ここで図２９Ａ〜２９Ｅを参照すると、これらは、それぞれ、図２８Ａおよび２８Ｂに示される種類の一部鍵刻みされた鍵素材の描画的な図、平面図、および複数の断面図である。図２９Ａ〜２９Ｅの鍵素材は、図２８Ａおよび２８Ｂの鍵素材と同一であり、各対の複数の追加的な溝の上方に、第１の鍵刻みのものと同様の概ね円錐台の構造を有する追加的な鍵刻みが形成され、したがって、平らな表面７０４および７０６のそれぞれの上に第２の鍵刻みを完全に形成する。この第２の鍵刻みは、追加的な溝と追加的な円錐台の鍵刻みとの組合せであり、平らな表面７０４上の参照符号７３４によって、また平らな表面７０６上の参照符号７３６によって識別される。
【００７５】
図２９Ａ〜２９Ｅに示されるように概ね構成される鍵素材は、異なる鍵刻み位置に選択的に配置される第２の鍵刻みを有し、それによって第２の鍵刻み位置を形成することができる。所与の第２の鍵刻み位置を有して図２９Ａ〜２９Ｅに示される種類の鍵素材の選択的配分によって、対応する第２の鍵刻み位置を有する鍵の刻みは、それに応じて限定されることが理解される。
【００７６】
ここで図３０Ａ〜３０Ｅを参照すると、これらは、それぞれ、図２９Ａ〜２９Ｅに示される種類の一部鍵刻みされた鍵素材から作製した鍵の描画的な図、平面図、および複数の断面図である。図３０Ａ〜３０Ｅの鍵と図２９Ａ〜２９Ｅの鍵素材との違いは、平らな表面７０４および７０６のそれぞれの上の鍵刻み領域に沿って追加的な位置に第１の鍵刻みが追加されていることである。それらの追加的な鍵刻みは、平らな表面７０４上の参照符号７４４によって概ね示され、平らな表面７０６上には示されない。
【００７７】
ここで図３１Ａ〜３１Ｅを参照すると、これらは、それぞれ、図２７Ａ〜２７Ｆのマルチパートプラグピンと作用的に係合している図２９Ａ〜２９Ｅに示した種類の一部鍵刻みされた鍵素材から作製した鍵の描画的な図、平面図、および複数の断面図である。図３１Ａ〜３１Ｅは、マルチパートプラグピン６７５（図２７Ａ〜２７Ｆ）の第２の鍵刻み７３４（図２９Ｅ）との係合を示す。第２の鍵刻み７３４（図２９Ｅ）内に、適切に異なる深さの追加的な溝７１８および７２０（図２８Ａおよび２８Ｂ）を設けて、マルチパートピンのそれぞれの部分上の細長い突出部６９２および６９４（図２７Ａ〜２７Ｆ）を受け入れることにより、マルチパートピン６７５が第２の鍵刻みの中に完全に着座できるようになっていることが分かる。等しい長さのマルチパートピンと、対応する等しい深さの追加的な溝を備える鍵素材と、を提供可能であることも理解される。
【００７８】
ここで図３２Ａ〜３２Ｄを参照すると、これらは、それぞれ、本発明の好ましいさらに別の実施の形態にしたがって作製されかつ動作する鍵素材の平面図および複数の断面図である。図３２Ａ〜３２Ｄにおいて分かるように、この鍵素材は、頭部８００と胴部分柄部分８０２とを備え、好ましくは、第１および第２の逆向きの平らな表面８０４および８０６を有する平坦なブレードの形態である。平らな表面８０４および８０６上に、それぞれがに参照符号８０８および８１０ならびに８１２および８１４によって示される１対の複数の案内溝（それぞれに参照符号８０８および８１０ならびに８１２および８１４によって示す）が形成され、それらは、それぞれの表面上に鍵刻み領域を形成する。本発明の好ましい一実施形態によれば、複数の対の複数の追加的な溝は、それぞれの平らな表面８０４および８０６の鍵刻み領域内の複数の鍵刻み位置に形成される。それらの追加的な溝は、それぞれ、参照符号８１７、８１８、８１９、および８２０ならびに８２１、８２２、８２３、および８２４によって示され、かつ異なる深さを有するように示される。
【００７９】
本発明の特有の特徴は、追加的な溝８１７〜８２４が上述した第２の鍵刻みの一部を形成し、また上述した第１の鍵刻みが存在しないことである。
【００８０】
図３２Ａ〜３２Ｄに示されるように概ね構成させる鍵素材は、異なる鍵刻み位置に選択的に配置される追加的な１つ以上の溝を有し、それによって第２の鍵刻み位置を形成することができる。所与の第２の鍵刻み位置を有して図３２Ａ〜３２Ｄに示される種類の鍵素材の選択的配分によって、対応する第２の鍵刻み位置を有する鍵の刻みは、それに応じて限定されることが理解される。異なる深さの溝を設けることは、親鍵に使用するための適切な機能を与える。
【００８１】
ここで図３３Ａ〜３３Ｆを参照すると、これらは、それぞれ、図３２Ａ〜３２Ｄに示される種類の一部鍵刻みされた鍵素材の描画的な図、平面図、および複数の断面図である。図３３Ａ〜３３Ｆの鍵素材は、図３２Ａ〜３２Ｄの鍵素材と同一であり、各対の複数の追加的な溝の上方に、第１の鍵刻みのものと同様の概ね円錐台の構造を有する追加的な鍵刻みが形成され、したがって、それぞれの平らな表面８０４および８０６の上に第２の鍵刻みを完全に形成する。その第２の鍵刻みは、それぞれが１対の複数の追加的な溝と追加的な円錐台の鍵刻みとの組合せであり、平らな表面８０４上の参照符号８３４によって、また平らな表面８０６上の参照符号８３５によって識別される。それぞれが追加的な溝と追加的な円錐台の鍵刻みとの組合せである追加的な第２の鍵刻みは、平らな表面８０４上の参照符号８３６によって、また平らな表面８０６上の参照符号８３７によって識別される。
【００８２】
図３３Ａ〜３３Ｆに示されるように概ね構成される鍵素材は、異なる鍵刻み位置に選択的に配置される第２の鍵刻みを有し、それによって第２の鍵刻み位置を形成することができる。所与の第２の鍵刻み位置を有して図３３Ａ〜３３Ｆに示される種類の鍵素材の選択的配分によって、対応する第２の鍵刻み位置を有する鍵の刻みは、それに対応して限定されることが理解される。異なる深さの溝を設けることは、親鍵に使用するための適切な機能を与える。
【００８３】
ここで図３４Ａ〜３４Ｆを参照すると、これらは、それぞれ、図３３Ａ〜３３Ｆに示される種類の一部鍵刻みされた鍵素材から作製した鍵の描画的な図、平面図、および複数の断面図である。図３４Ａ〜３４Ｆの鍵と図３３Ａ〜３３Ｆの鍵素材との違いは、平らな表面８０４および８０６のそれぞれの上の鍵刻み領域に沿って追加的な位置に第１の鍵刻みが追加されていることである。これらの追加的な鍵刻みは、平らな表面８０４上の参照符号８４４によって概ね示され、平らな表面８０６上には示されない。
【００８４】
ここで図３５Ａ〜３５Ｆを参照すると、これらは、それぞれ、図２７Ａ〜２７Ｆのプラグピンと作用的に係合している図３３Ａ〜３３Ｆに示した種類の一部鍵刻された鍵素材から作製した鍵の描画的な図、平面図、および複数の断面図である。図３５Ａ〜３５Ｆは、異なる長さの部分を有するマルチパート(multi-part)プラグピン６７５（図２７Ａ〜２７Ｆ）と第２の鍵刻み８３４との係合、および同一の長さの部分を有するマルチパート(multi-part)プラグピン６７５と第２の鍵刻み８３６との係合を示す。細長い突出部６９２および６９４（図２７Ａ〜２７Ｂ）を受け入れる追加的な溝を第２の鍵刻み内に設けたことにより、マルチパートピン６７５が第２の鍵刻みの中に完全に着座できるようになることが分かる。マルチパートピン６７５は、第１の鍵刻みの中に完全に着座できなかったことが理解される。したがって、適切に配置された第２の鍵刻みを含まない鍵は、本明細書で説明した種類の非通常型のシリンダを操作させることができない。
【００８５】
本発明が以上に詳細に示しかつ説明したものによって限定されないことは、当業者には理解されよう。本発明の範囲は、以上に説明した様々な特徴の組合せおよび部分的な組合せを共に含むばかりでなく、当業者が本明細書を読めば想起することができ、また従来技術には存在していない変形および変更も包含するものである。
【図面の簡単な説明】
【００８６】
【図１Ａ】本発明の一実施形態にしたがって作製されかつ動作する鍵操作式錠シリンダおよび鍵が施錠定位置にあるときを示す断面図である。
【図１Ｂ】本発明の一実施形態にしたがって作製されかつ動作する鍵操作式錠シリンダおよび鍵が施錠定位置にあるときを示す断面図である。
【図２Ａ】図１Ａおよび１Ｂの鍵操作式錠シリンダおよび鍵が解錠定位置にあるときを示す断面図である。
【図２Ｂ】図１Ａおよび１Ｂの鍵操作式錠シリンダおよび鍵が解錠定位置にあるときを示す断面図である。
【図３Ａ】図１Ａ〜２Ｂの鍵操作式錠シリンダが、その中に通常の鍵が挿入された施錠定位置にあるときを示す断面図である。
【図３Ｂ】図１Ａ〜２Ｂの鍵操作式錠シリンダが、その中に通常の鍵が挿入された施錠定位置にあるときを示す断面図である。
【図４Ａ】通常の鍵操作式錠シリンダが、その中に図１Ａ〜２Ｂに示される種類の鍵が挿入された解錠定位置にあるときを示す断面図である。
【図４Ｂ】通常の鍵操作式錠シリンダが、その中に図１Ａ〜２Ｂに示される種類の鍵が挿入された解錠定位置にあるときを示す断面図である。
【図５Ａ】図１Ａ〜２Ｂに示される種類の鍵と協働する図１Ａ〜３Ｂのシリンダに有用なシリンダプラグピンを示す６つの異なる図の１つである。
【図５Ｂ】図１Ａ〜２Ｂに示される種類の鍵と協働する図１Ａ〜３Ｂのシリンダに有用なシリンダプラグピンを示す６つの異なる図の１つである。
【図５Ｃ】図１Ａ〜２Ｂに示される種類の鍵と協働する図１Ａ〜３Ｂのシリンダに有用なシリンダプラグピンを示す６つの異なる図の１つである。
【図５Ｄ】図１Ａ〜２Ｂに示される種類の鍵と協働する図１Ａ〜３Ｂのシリンダに有用なシリンダプラグピンを示す６つの異なる図の１つである。
【図５Ｅ】図１Ａ〜２Ｂに示される種類の鍵と協働する図１Ａ〜３Ｂのシリンダに有用なシリンダプラグピンを示す６つの異なる図の１つである。
【図５Ｆ】図１Ａ〜２Ｂに示される種類の鍵と協働する図１Ａ〜３Ｂのシリンダに有用なシリンダプラグピンを示す６つの異なる図の１つである。
【図６Ａ】本発明の好ましい一実施形態にしたがって作製されかつ動作する鍵素材を示す平面図である。
【図６Ｂ】本発明の好ましい一実施形態にしたがって作製されかつ動作する鍵素材を示す断面図である。
【図７Ａ】図６Ａおよび６Ｂに示される種類の一部鍵刻みされた鍵素材を示す描画図である。
【図７Ｂ】図６Ａおよび６Ｂに示される種類の一部鍵刻みされた鍵素材を示す平面図である。
【図７Ｃ】図６Ａおよび６Ｂに示される種類の一部鍵刻みされた鍵素材を示す断面図である。
【図７Ｄ】図６Ａおよび６Ｂに示される種類の一部鍵刻みされた鍵素材を示す断面図である。
【図７Ｅ】図６Ａおよび６Ｂに示される種類の一部鍵刻みされた鍵素材を示す断面図である。
【図８Ａ】図７Ａ〜７Ｅに示される種類の一部鍵刻みされた鍵素材から作製した鍵を示す描画図である。
【図８Ｂ】図７Ａ〜７Ｅに示される種類の一部鍵刻みされた鍵素材から作製した鍵を示す平面図である。
【図８Ｃ】図７Ａ〜７Ｅに示される種類の一部鍵刻みされた鍵素材から作製した鍵を示す断面図である。
【図８Ｄ】図７Ａ〜７Ｅに示される種類の一部鍵刻みされた鍵素材から作製した鍵を示す断面図である。
【図８Ｅ】図７Ａ〜７Ｅに示される種類の一部鍵刻みされた鍵素材から作製した鍵を示す断面図である。
【図９Ａ】図７Ａ〜７Ｅに示される種類の一部鍵刻みされた鍵素材から作製した鍵が、図５Ａ〜５Ｆのプラグピンと作用的に係合するときを示す描画図である。
【図９Ｂ】図７Ａ〜７Ｅに示される種類の一部鍵刻みされた鍵素材から作製した鍵が、図５Ａ〜５Ｆのプラグピンと作用的に係合するときを示す平面図である。
【図９Ｃ】図７Ａ〜７Ｅに示される種類の一部鍵刻みされた鍵素材から作製した鍵が、図５Ａ〜５Ｆのプラグピンと作用的に係合するときを示す断面図である。
【図９Ｄ】図７Ａ〜７Ｅに示される種類の一部鍵刻みされた鍵素材から作製した鍵が、図５Ａ〜５Ｆのプラグピンと作用的に係合するときを示す断面図である。
【図９Ｅ】図７Ａ〜７Ｅに示される種類の一部鍵刻みされた鍵素材から作製した鍵が、図５Ａ〜５Ｆのプラグピンと作用的に係合するときを示す断面図である。
【図１０Ａ】図１Ａ〜３Ｂのシリンダに有用なシリンダプラグピンの別の実施の形態を示す６つの異なる図の１つである。
【図１０Ｂ】図１Ａ〜３Ｂのシリンダに有用なシリンダプラグピンの別の実施の形態を示す６つの異なる図の１つである。
【図１０Ｃ】図１Ａ〜３Ｂのシリンダに有用なシリンダプラグピンの別の実施の形態を示す６つの異なる図の１つである。
【図１０Ｄ】図１Ａ〜３Ｂのシリンダに有用なシリンダプラグピンの別の実施の形態を示す６つの異なる図の１つである。
【図１０Ｅ】図１Ａ〜３Ｂのシリンダに有用なシリンダプラグピンの別の実施の形態を示す６つの異なる図の１つである。
【図１０Ｆ】図１Ａ〜３Ｂのシリンダに有用なシリンダプラグピンの別の実施の形態を示す６つの異なる図の１つである。
【図１１Ａ】本発明の好ましい別の実施の形態にしたがって作製されかつ動作する鍵素材を示す平面図である。
【図１１Ｂ】本発明の好ましい別の実施の形態にしたがって作製されかつ動作する鍵素材を示す断面図である。
【図１２Ａ】図１１Ａおよび１１Ｂに示される種類の一部鍵刻みされた鍵素材を示す描画図である。
【図１２Ｂ】図１１Ａおよび１１Ｂに示される種類の一部鍵刻みされた鍵素材を示す平面図である。
【図１２Ｃ】図１１Ａおよび１１Ｂに示される種類の一部鍵刻みされた鍵素材鍵を示す断面である。
【図１２Ｄ】図１１Ａおよび１１Ｂに示される種類の一部鍵刻みされた鍵素材鍵を示す断面である。
【図１２Ｅ】図１１Ａおよび１１Ｂに示される種類の一部鍵刻みされた鍵素材鍵を示す断面である。
【図１３Ａ】図１２Ａ〜１２Ｅに示される種類の一部鍵刻みされた鍵素材から作製した鍵を示す描画図である。
【図１３Ｂ】図１２Ａ〜１２Ｅに示される種類の一部鍵刻みされた鍵素材から作製した鍵を示す平面図である。
【図１３Ｃ】図１２Ａ〜１２Ｅに示される種類の一部鍵刻みされた鍵素材から作製した鍵を示す断面図である。
【図１３Ｄ】図１２Ａ〜１２Ｅに示される種類の一部鍵刻みされた鍵素材から作製した鍵を示す断面図である。
【図１３Ｅ】図１２Ａ〜１２Ｅに示される種類の一部鍵刻みされた鍵素材から作製した鍵を示す断面図である。
【図１４Ａ】図１０Ａ〜１０Ｆに示される種類の一部鍵刻みされた鍵素材から作製した鍵が、図１２Ａ〜１２Ｅのプラグピンと作用的に係合するときを示す描画図である。
【図１４Ｂ】図１０Ａ〜１０Ｆに示される種類の一部鍵刻みされた鍵素材から作製した鍵が、図１２Ａ〜１２Ｅのプラグピンと作用的に係合するときを示す平面図である。
【図１４Ｃ】図１０Ａ〜１０Ｆに示される種類の一部鍵刻みされた鍵素材から作製した鍵が、図１２Ａ〜１２Ｅのプラグピンと作用的に係合するときを示す断面図である。
【図１４Ｄ】図１０Ａ〜１０Ｆに示される種類の一部鍵刻みされた鍵素材から作製した鍵が、図１２Ａ〜１２Ｅのプラグピンと作用的に係合するときを示す断面図である。
【図１４Ｅ】図１０Ａ〜１０Ｆに示される種類の一部鍵刻みされた鍵素材から作製した鍵が、図１２Ａ〜１２Ｅのプラグピンと作用的に係合するときを示す断面図である。
【図１５Ａ】本発明の好ましいさらに別の実施の形態にしたがって作製されかつ動作する鍵素材を示す平面図である。
【図１５Ｂ】本発明の好ましいさらに別の実施の形態にしたがって作製されかつ動作する鍵素材を示す断面図である。
【図１５Ｃ】本発明の好ましいさらに別の実施の形態にしたがって作製されかつ動作する鍵素材を示す断面図である。
【図１５Ｄ】本発明の好ましいさらに別の実施の形態にしたがって作製されかつ動作する鍵素材を示す断面図である。
【図１６Ａ】図１５Ａ〜１５Ｄに示される種類の一部鍵刻みされた鍵素材から作製した鍵を示す描画図である。
【図１６Ｂ】図１５Ａ〜１５Ｄに示される種類の一部鍵刻みされた鍵素材から作製した鍵を示す平面図である。
【図１６Ｃ】図１５Ａ〜１５Ｄに示される種類の一部鍵刻みされた鍵素材から作製した鍵を示す断面図である。
【図１６Ｄ】図１５Ａ〜１５Ｄに示される種類の一部鍵刻みされた鍵素材から作製した鍵を示す断面図である。
【図１６Ｅ】図１５Ａ〜１５Ｄに示される種類の一部鍵刻みされた鍵素材から作製した鍵を示す断面図である。
【図１６Ｆ】図１５Ａ〜１５Ｄに示される種類の一部鍵刻みされた鍵素材から作製した鍵を示す断面図である。
【図１６Ｇ】図１５Ａ〜１５Ｄに示される種類の一部鍵刻みされた鍵素材から作製した鍵を示す断面図である。
【図１７Ａ】図１６Ａ〜１６Ｇに示される種類の一部鍵刻みされた鍵素材から作製した鍵を示す描画図である。
【図１７Ｂ】図１６Ａ〜１６Ｇに示される種類の一部鍵刻みされた鍵素材から作製した鍵を示す平面図である。
【図１７Ｃ】図１６Ａ〜１６Ｇに示される種類の一部鍵刻みされた鍵素材から作製した鍵を示す断面図である。
【図１７Ｄ】図１６Ａ〜１６Ｇに示される種類の一部鍵刻みされた鍵素材から作製した鍵を示す断面図である。
【図１７Ｅ】図１６Ａ〜１６Ｇに示される種類の一部鍵刻みされた鍵素材から作製した鍵を示す断面図である。
【図１７Ｆ】図１６Ａ〜１６Ｇに示される種類の一部鍵刻みされた鍵素材から作製した鍵を示す断面図である。
【図１７Ｇ】図１６Ａ〜１６Ｇに示される種類の一部鍵刻みされた鍵素材から作製した鍵を示す断面図である。
【図１８Ａ】図１６Ａ〜１６Ｇに示される種類の一部鍵刻みされた鍵素材から作製した鍵が、図５Ａ〜５Ｆおよび図１０Ａ〜１０Ｆに示される種類のプラグピンと作用的に係合するときを示す描画図である。
【図１８Ｂ】図１６Ａ〜１６Ｇに示される種類の一部鍵刻みされた鍵素材から作製した鍵が、図５Ａ〜５Ｆおよび図１０Ａ〜１０Ｆに示される種類のプラグピンと作用的に係合するときを示す平面図である。
【図１８Ｃ】図１６Ａ〜１６Ｇに示される種類の一部鍵刻みされた鍵素材から作製した鍵が、図５Ａ〜５Ｆおよび図１０Ａ〜１０Ｆに示される種類のプラグピンと作用的に係合するときを示す断面図である。
【図１８Ｄ】図１６Ａ〜１６Ｇに示される種類の一部鍵刻みされた鍵素材から作製した鍵が、図５Ａ〜５Ｆおよび図１０Ａ〜１０Ｆに示される種類のプラグピンと作用的に係合するときを示す断面図である。
【図１８Ｅ】図１６Ａ〜１６Ｇに示される種類の一部鍵刻みされた鍵素材から作製した鍵が、図５Ａ〜５Ｆおよび図１０Ａ〜１０Ｆに示される種類のプラグピンと作用的に係合するときを示す断面図である。
【図１８Ｆ】図１６Ａ〜１６Ｇに示される種類の一部鍵刻みされた鍵素材から作製した鍵が、図５Ａ〜５Ｆおよび図１０Ａ〜１０Ｆに示される種類のプラグピンと作用的に係合するときを示す断面図である。
【図１８Ｇ】図１６Ａ〜１６Ｇに示される種類の一部鍵刻みされた鍵素材から作製した鍵が、図５Ａ〜５Ｆおよび図１０Ａ〜１０Ｆに示される種類のプラグピンと作用的に係合するときを示す断面図である。
【図１９Ａ】本発明の好ましいさらに別の実施の形態にしたがって作製されかつ動作する鍵素材を示す平面図である。
【図１９Ｂ】本発明の好ましいさらに別の実施の形態にしたがって作製されかつ動作する鍵素材を示す断面図である。
【図１９Ｃ】本発明の好ましいさらに別の実施の形態にしたがって作製されかつ動作する鍵素材を示す断面図である。
【図１９Ｄ】本発明の好ましいさらに別の実施の形態にしたがって作製されかつ動作する鍵素材を示す断面図である。
【図２０Ａ】図１９Ａ〜１９Ｄに示される種類の一部鍵刻みされた鍵素材を示す描画図である。
【図２０Ｂ】図１９Ａ〜１９Ｄに示される種類の一部鍵刻みされた鍵素材を示す平面図である。
【図２０Ｃ】図１９Ａ〜１９Ｄに示される種類の一部鍵刻みされた鍵素材を示す断面図である。
【図２０Ｄ】図１９Ａ〜１９Ｄに示される種類の一部鍵刻みされた鍵素材を示す断面図である。
【図２０Ｅ】図１９Ａ〜１９Ｄに示される種類の一部鍵刻みされた鍵素材を示す断面図である。
【図２０Ｆ】図１９Ａ〜１９Ｄに示される種類の一部鍵刻みされた鍵素材を示す断面図である。
【図２０Ｇ】図１９Ａ〜１９Ｄに示される種類の一部鍵刻みされた鍵素材を示す断面図である。
【図２１Ａ】図２０Ａ〜２０Ｇに示される種類の一部鍵刻みされた鍵素材から作製した鍵を示す描画図である。
【図２１Ｂ】図２０Ａ〜２０Ｇに示される種類の一部鍵刻みされた鍵素材から作製した鍵を示す平面図である。
【図２１Ｃ】図２０Ａ〜２０Ｇに示される種類の一部鍵刻みされた鍵素材から作製した鍵を示す断面図である。
【図２１Ｄ】図２０Ａ〜２０Ｇに示される種類の一部鍵刻みされた鍵素材から作製した鍵を示す断面図である。
【図２１Ｅ】図２０Ａ〜２０Ｇに示される種類の一部鍵刻みされた鍵素材から作製した鍵を示す断面図である。
【図２１Ｆ】図２０Ａ〜２０Ｇに示される種類の一部鍵刻みされた鍵素材から作製した鍵を示す断面図である。
【図２１Ｇ】図２０Ａ〜２０Ｇに示される種類の一部鍵刻みされた鍵素材から作製した鍵を示す断面図である。
【図２２Ａ】図２０Ａ〜２０Ｇに示される種類の一部鍵刻みされた鍵素材から作製した鍵が、図５Ａ〜５Ｆおよび図１０Ａ〜１０Ｆに示される種類のプラグピンと作用的に係合するときを示す描画図である。
【図２２Ｂ】図２０Ａ〜２０Ｇに示される種類の一部鍵刻みされた鍵素材から作製した鍵が、図５Ａ〜５Ｆおよび図１０Ａ〜１０Ｆに示される種類のプラグピンと作用的に係合するときを示す平面図である。
【図２２Ｃ】図２０Ａ〜２０Ｇに示される種類の一部鍵刻みされた鍵素材から作製した鍵が、図５Ａ〜５Ｆおよび図１０Ａ〜１０Ｆに示される種類のプラグピンと作用的に係合するときを示す断面図である。
【図２２Ｄ】図２０Ａ〜２０Ｇに示される種類の一部鍵刻みされた鍵素材から作製した鍵が、図５Ａ〜５Ｆおよび図１０Ａ〜１０Ｆに示される種類のプラグピンと作用的に係合するときを示す断面図である。
【図２２Ｅ】図２０Ａ〜２０Ｇに示される種類の一部鍵刻みされた鍵素材から作製した鍵が、図５Ａ〜５Ｆおよび図１０Ａ〜１０Ｆに示される種類のプラグピンと作用的に係合するときを示す断面図である。
【図２２Ｆ】図２０Ａ〜２０Ｇに示される種類の一部鍵刻みされた鍵素材から作製した鍵が、図５Ａ〜５Ｆおよび図１０Ａ〜１０Ｆに示される種類のプラグピンと作用的に係合するときを示す断面図である。
【図２２Ｇ】図２０Ａ〜２０Ｇに示される種類の一部鍵刻みされた鍵素材から作製した鍵が、図５Ａ〜５Ｆおよび図１０Ａ〜１０Ｆに示される種類のプラグピンと作用的に係合するときを示す断面図である。
【図２３Ａ】本発明の別の実施の形態にしたがって作製されかつ動作する鍵操作式錠シリンダおよび鍵が施錠定位置にあるときを示す断面図である。
【図２３Ｂ】本発明の別の実施の形態にしたがって作製されかつ動作する鍵操作式錠シリンダおよび鍵が施錠定位置にあるときを示す断面図である。
【図２４Ａ】図２３Ａおよび２３Ｂの鍵操作式錠シリンダおよび鍵が解錠定位置にあるときを示す断面図である。
【図２４Ｂ】図２３Ａおよび２３Ｂの鍵操作式錠シリンダおよび鍵が解錠定位置にあるときを示す断面図である。
【図２５Ａ】図２３Ａ〜２４Ｂの鍵操作式錠シリンダが、その中に通常の鍵が挿入される施錠定位置にあるときを示す断面図である。
【図２５Ｂ】図２３Ａ〜２４Ｂの鍵操作式錠シリンダが、その中に通常の鍵が挿入される施錠定位置にあるときを示す断面図である。
【図２６Ａ】図２３Ａ〜２４Ｂに示される種類の鍵と協働する図２３Ａ〜２５Ｂのシリンダに有用な多部分シリンダプラグピンを示す６つの異なる図の１つである。
【図２６Ｂ】図２３Ａ〜２４Ｂに示した種類の鍵と協働する図２３Ａ〜２５Ｂのシリンダに有用な多部分シリンダプラグピンを示す６つの異なる図の１つである。
【図２６Ｃ】図２３Ａ〜２４Ｂに示した種類の鍵と協働する図２３Ａ〜２５Ｂのシリンダに有用な多部分シリンダプラグピンを示す６つの異なる図の１つである。
【図２６Ｄ】図２３Ａ〜２４Ｂに示した種類の鍵と協働する図２３Ａ〜２５Ｂのシリンダに有用な多部分シリンダプラグピンを示す６つの異なる図の１つである。
【図２６Ｅ】図２３Ａ〜２４Ｂに示した種類の鍵と協働する図２３Ａ〜２５Ｂのシリンダに有用な多部分シリンダプラグピンを示す６つの異なる図の１つである。
【図２６Ｆ】図２３Ａ〜２４Ｂに示した種類の鍵と協働する図２３Ａ〜２５Ｂのシリンダに有用な多部分シリンダプラグピンを示す６つの異なる図の１つである。
【図２７Ａ】図２３Ａ〜２４Ｂに示した種類の鍵と協働する図２３Ａ〜２５Ｂのシリンダに有用であって、図２６Ａ〜２６Ｆに示した種類の部分を使用するマルチパートシリンダプラグピンを示す６つの異なる図の１つである。
【図２７Ｂ】図２３Ａ〜２４Ｂに示した種類の鍵と協働する図２３Ａ〜２５Ｂのシリンダに有用であって、図２６Ａ〜２６Ｆに示した種類の部分を使用するマルチパートシリンダプラグピンを示す６つの異なる図の１つである。
【図２７Ｃ】図２３Ａ〜２４Ｂに示した種類の鍵と協働する図２３Ａ〜２５Ｂのシリンダに有用であって、図２６Ａ〜２６Ｆに示した種類の部分を使用するマルチパートシリンダプラグピンを示す６つの異なる図の１つである。
【図２７Ｄ】図２３Ａ〜２４Ｂに示した種類の鍵と協働する図２３Ａ〜２５Ｂのシリンダに有用であって、図２６Ａ〜２６Ｆに示した種類の部分を使用するマルチパートシリンダプラグピンを示す６つの異なる図の１つである。
【図２７Ｅ】図２３Ａ〜２４Ｂに示した種類の鍵と協働する図２３Ａ〜２５Ｂのシリンダに有用であって、図２６Ａ〜２６Ｆに示した種類の部分を使用するマルチパートシリンダプラグピンを示す６つの異なる図の１つである。
【図２７Ｆ】図２３Ａ〜２４Ｂに示した種類の鍵と協働する図２３Ａ〜２５Ｂのシリンダに有用であって、図２６Ａ〜２６Ｆに示した種類の部分を使用するマルチパートシリンダプラグピンを示す６つの異なる図の１つである。
【図２８Ａ】本発明の好ましい一実施形態にしたがって作製されかつ動作する鍵素材を示す平面図である。
【図２８Ｂ】本発明の好ましい一実施形態にしたがって作製されかつ動作する鍵素材を示す断面図である。
【図２９Ａ】図２８Ａおよび２８Ｂに示される種類の一部鍵刻みされた鍵素材を示す描画図である。
【図２９Ｂ】図２８Ａおよび２８Ｂに示される種類の一部鍵刻みされた鍵素材を示す平面図である。
【図２９Ｃ】図２８Ａおよび２８Ｂに示される種類の一部鍵刻みされた鍵素材を示す断面図である。
【図２９Ｄ】図２８Ａおよび２８Ｂに示される種類の一部鍵刻みされた鍵素材を示す断面図である。
【図２９Ｅ】図２８Ａおよび２８Ｂに示される種類の一部鍵刻みされた鍵素材を示す断面図である。
【図３０Ａ】図２９Ａ〜２９Ｅに示される種類の一部鍵刻みされた鍵素材から作製した鍵を示す描画図である。
【図３０Ｂ】図２９Ａ〜２９Ｅに示される種類の一部鍵刻みされた鍵素材から作製した鍵を示す平面図である。
【図３０Ｃ】図２９Ａ〜２９Ｅに示される種類の一部鍵刻みされた鍵素材から作製した鍵を示す断面図である。
【図３０Ｄ】図２９Ａ〜２９Ｅに示される種類の一部鍵刻みされた鍵素材から作製した鍵を示す断面図である。
【図３０Ｅ】図２９Ａ〜２９Ｅに示される種類の一部鍵刻みされた鍵素材から作製した鍵を示す断面図である。
【図３１Ａ】図２９Ａ〜２９Ｅに示される種類の一部鍵刻みされた鍵素材から作製した鍵が、図２７Ａ〜２７Ｆのプラグピンと作用的に係合するときを示す描画図である。
【図３１Ｂ】図２９Ａ〜２９Ｅに示される種類の一部鍵刻みされた鍵素材から作製した鍵が、図２７Ａ〜２７Ｆのプラグピンと作用的に係合するときを示す平面図である。
【図３１Ｃ】図２９Ａ〜２９Ｅに示される種類の一部鍵刻みされた鍵素材から作製した鍵が、図２７Ａ〜２７Ｆのプラグピンと作用的に係合するときを示す断面図である。
【図３１Ｄ】図２９Ａ〜２９Ｅに示される種類の一部鍵刻みされた鍵素材から作製した鍵が、図２７Ａ〜２７Ｆのプラグピンと作用的に係合するときを示す断面図である。
【図３１Ｅ】図２９Ａ〜２９Ｅに示される種類の一部鍵刻みされた鍵素材から作製した鍵が、図２７Ａ〜２７Ｆのプラグピンと作用的に係合するときを示す断面図である。
【図３２Ａ】本発明の好ましいさらに別の実施の形態にしたがって作製されかつ動作する鍵素材を示す平面図である。
【図３２Ｂ】本発明の好ましいさらに別の実施の形態にしたがって作製されかつ動作する鍵素材を示す断面図である。
【図３２Ｃ】本発明の好ましいさらに別の実施の形態にしたがって作製されかつ動作する鍵素材を示す断面図である。
【図３２Ｄ】本発明の好ましいさらに別の実施の形態にしたがって作製されかつ動作する鍵素材を示す断面図である。
【図３３Ａ】図３２Ａ〜３２Ｄに示される種類の一部鍵刻みされた鍵素材を示す描画図である。
【図３３Ｂ】図３２Ａ〜３２Ｄに示される種類の一部鍵刻みされた鍵素材を示す平面図である。
【図３３Ｃ】図３２Ａ〜３２Ｄに示される種類の一部鍵刻みされた鍵素材を示す断面図である。
【図３３Ｄ】図３２Ａ〜３２Ｄに示される種類の一部鍵刻みされた鍵素材を示す断面図である。
【図３３Ｅ】図３２Ａ〜３２Ｄに示される種類の一部鍵刻みされた鍵素材を示す断面図である。
【図３３Ｆ】図３２Ａ〜３２Ｄに示される種類の一部鍵刻みされた鍵素材を示す断面図である。
【図３４Ａ】図３３Ａ〜３３Ｆに示される種類の一部鍵刻みされた鍵素材から作製した鍵を示す描画図である。
【図３４Ｂ】図３３Ａ〜３３Ｆに示される種類の一部鍵刻みされた鍵素材から作製した鍵を示す平面図である。
【図３４Ｃ】図３３Ａ〜３３Ｆに示される種類の一部鍵刻みされた鍵素材から作製した鍵を示す断面図である。
【図３４Ｄ】図３３Ａ〜３３Ｆに示される種類の一部鍵刻みされた鍵素材から作製した鍵を示す断面図である。
【図３４Ｅ】図３３Ａ〜３３Ｆに示される種類の一部鍵刻みされた鍵素材から作製した鍵を示す断面図である。
【図３４Ｆ】図３３Ａ〜３３Ｆに示される種類の一部鍵刻みされた鍵素材から作製した鍵を示す断面図である。
【図３５Ａ】図３３Ａ〜３３Ｆに示される種類の一部鍵刻みされた鍵素材から作製した鍵が、図２７Ａ〜２７Ｆに示した種類のプラグピンと作用的に係合するときを示す描画図である。
【図３５Ｂ】図３３Ａ〜３３Ｆに示される種類の一部鍵刻みされた鍵素材から作製した鍵が、図２７Ａ〜２７Ｆに示した種類のプラグピンと作用的に係合するときを示す平面図である。
【図３５Ｃ】図３３Ａ〜３３Ｆに示される種類の一部鍵刻みされた鍵素材から作製した鍵が、図２７Ａ〜２７Ｆに示した種類のプラグピンと作用的に係合するときを示す断面図である。
【図３５Ｄ】図３３Ａ〜３３Ｆに示される種類の一部鍵刻みされた鍵素材から作製した鍵が、図２７Ａ〜２７Ｆに示した種類のプラグピンと作用的に係合するときを示す断面図である。
【図３５Ｅ】図３３Ａ〜３３Ｆに示される種類の一部鍵刻みされた鍵素材から作製した鍵が、図２７Ａ〜２７Ｆに示した種類のプラグピンと作用的に係合するときを示す断面図である。
【図３５Ｆ】図３３Ａ〜３３Ｆに示される種類の一部鍵刻みされた鍵素材から作製した鍵が、図２７Ａ〜２７Ｆに示した種類のプラグピンと作用的に係合するときを示す断面図である。
【図１Ａ】
0004624797.tif 000002
【図１Ｂ】
0004624797.tif 000003
【図２Ａ】
0004624797.tif 000004
【図２Ｂ】
0004624797.tif 000005
【図３Ａ】
0004624797.tif 000006
【図３Ｂ】
0004624797.tif 000007
【図４Ａ】
0004624797.tif 000008
【図４Ｂ】
0004624797.tif 000009
【図５Ａ】
0004624797.tif 000010
【図５Ｂ】
0004624797.tif 000011
【図５Ｃ】
0004624797.tif 000012
【図５Ｄ】
0004624797.tif 000013
【図５Ｅ】
0004624797.tif 000014
【図５Ｆ】
0004624797.tif 000015
【図６Ａ】
0004624797.tif 000016
【図６Ｂ】
0004624797.tif 000017
【図７Ａ】
0004624797.tif 000018
【図７Ｂ】
0004624797.tif 000019
【図７Ｃ】
0004624797.tif 000020
【図７Ｄ】
0004624797.tif 000021
【図７Ｅ】
0004624797.tif 000022
【図８Ａ】
0004624797.tif 000023
【図８Ｂ】
0004624797.tif 000024
【図８Ｃ】
0004624797.tif 000025
【図８Ｄ】
0004624797.tif 000026
【図８Ｅ】
0004624797.tif 000027
【図９Ａ】
0004624797.tif 000028
【図９Ｂ】
0004624797.tif 000029
【図９Ｃ】
0004624797.tif 000030
【図９Ｄ】
0004624797.tif 000031
【図９Ｅ】
0004624797.tif 000032
【図１０Ａ】
0004624797.tif 000033
【図１０Ｂ】
0004624797.tif 000034
【図１０Ｃ】
0004624797.tif 000035
【図１０Ｄ】
0004624797.tif 000036
【図１０Ｅ】
0004624797.tif 000037
【図１０Ｆ】
0004624797.tif 000038
【図１１Ａ】
0004624797.tif 000039
【図１１Ｂ】
0004624797.tif 000040
【図１２Ａ】
0004624797.tif 000041
【図１２Ｂ】
0004624797.tif 000042
【図１２Ｃ】
0004624797.tif 000043
【図１２Ｄ】
0004624797.tif 000044
【図１２Ｅ】
0004624797.tif 000045
【図１３Ａ】
0004624797.tif 000046
【図１３Ｂ】
0004624797.tif 000047
【図１３Ｃ】
0004624797.tif 000048
【図１３Ｄ】
0004624797.tif 000049
【図１３Ｅ】
0004624797.tif 000050
【図１４Ａ】
0004624797.tif 000051
【図１４Ｂ】
0004624797.tif 000052
【図１４Ｃ】
0004624797.tif 000053
【図１４Ｄ】
0004624797.tif 000054
【図１４Ｅ】
0004624797.tif 000055
【図１５Ａ】
0004624797.tif 000056
【図１５Ｂ】
0004624797.tif 000057
【図１５Ｃ】
0004624797.tif 000058
【図１５Ｄ】
0004624797.tif 000059
【図１６Ａ】
0004624797.tif 000060
【図１６Ｂ】
0004624797.tif 000061
【図１６Ｃ】
0004624797.tif 000062
【図１６Ｄ】
0004624797.tif 000063
【図１６Ｅ】
0004624797.tif 000064
【図１６Ｆ】
0004624797.tif 000065
【図１６Ｇ】
0004624797.tif 000066
【図１７Ａ】
0004624797.tif 000067
【図１７Ｂ】
0004624797.tif 000068
【図１７Ｃ】
0004624797.tif 000069
【図１７Ｄ】
0004624797.tif 000070
【図１７Ｅ】
0004624797.tif 000071
【図１７Ｆ】
0004624797.tif 000072
【図１７Ｇ】
0004624797.tif 000073
【図１８Ａ】
0004624797.tif 000074
【図１８Ｂ】
0004624797.tif 000075
【図１８Ｃ】
0004624797.tif 000076
【図１８Ｄ】
0004624797.tif 000077
【図１８Ｅ】
0004624797.tif 000078
【図１８Ｆ】
0004624797.tif 000079
【図１８Ｇ】
0004624797.tif 000080
【図１９Ａ】
0004624797.tif 000081
【図１９Ｂ】
0004624797.tif 000082
【図１９Ｃ】
0004624797.tif 000083
【図１９Ｄ】
0004624797.tif 000084
【図２０Ａ】
0004624797.tif 000085
【図２０Ｂ】
0004624797.tif 000086
【図２０Ｃ】
0004624797.tif 000087
【図２０Ｄ】
0004624797.tif 000088
【図２０Ｅ】
0004624797.tif 000089
【図２０Ｆ】
0004624797.tif 000090
【図２０Ｇ】
0004624797.tif 000091
【図２１Ａ】
0004624797.tif 000092
【図２１Ｂ】
0004624797.tif 000093
【図２１Ｃ】
0004624797.tif 000094
【図２１Ｄ】
0004624797.tif 000095
【図２１Ｅ】
0004624797.tif 000096
【図２１Ｆ】
0004624797.tif 000097
【図２１Ｇ】
0004624797.tif 000098
【図２２Ａ】
0004624797.tif 000099
【図２２Ｂ】
0004624797.tif 000100
【図２２Ｃ】
0004624797.tif 000101
【図２２Ｄ】
0004624797.tif 000102
【図２２Ｅ】
0004624797.tif 000103
【図２２Ｆ】
0004624797.tif 000104
【図２２Ｇ】
0004624797.tif 000105
【図２３Ａ】
0004624797.tif 000106
【図２３Ｂ】
0004624797.tif 000107
【図２４Ａ】
0004624797.tif 000108
【図２４Ｂ】
0004624797.tif 000109
【図２５Ａ】
0004624797.tif 000110
【図２５Ｂ】
0004624797.tif 000111
【図２６Ａ】
0004624797.tif 000112
【図２６Ｂ】
0004624797.tif 000113
【図２６Ｃ】
0004624797.tif 000114
【図２６Ｄ】
0004624797.tif 000115
【図２６Ｅ】
0004624797.tif 000116
【図２６Ｆ】
0004624797.tif 000117
【図２７Ａ】
0004624797.tif 000118
【図２７Ｂ】
0004624797.tif 000119
【図２７Ｃ】
0004624797.tif 000120
【図２７Ｄ】
0004624797.tif 000121
【図２７Ｅ】
0004624797.tif 000122
【図２７Ｆ】
0004624797.tif 000123
【図２８Ａ】
0004624797.tif 000124
【図２８Ｂ】
0004624797.tif 000125
【図２９Ａ】
0004624797.tif 000126
【図２９Ｂ】
0004624797.tif 000127
【図２９Ｃ】
0004624797.tif 000128
【図２９Ｄ】
0004624797.tif 000129
【図２９Ｅ】
0004624797.tif 000130
【図３０Ａ】
0004624797.tif 000131
【図３０Ｂ】
0004624797.tif 000132
【図３０Ｃ】
0004624797.tif 000133
【図３０Ｄ】
0004624797.tif 000134
【図３０Ｅ】
0004624797.tif 000135
【図３１Ａ】
0004624797.tif 000136
【図３１Ｂ】
0004624797.tif 000137
【図３１Ｃ】
0004624797.tif 000138
【図３１Ｄ】
0004624797.tif 000139
【図３１Ｅ】
0004624797.tif 000140
【図３２Ａ】
0004624797.tif 000141
【図３２Ｂ】
0004624797.tif 000142
【図３２Ｃ】
0004624797.tif 000143
【図３２Ｄ】
0004624797.tif 000144
【図３３Ａ】
0004624797.tif 000145
【図３３Ｂ】
0004624797.tif 000146
【図３３Ｃ】
0004624797.tif 000147
【図３３Ｄ】
0004624797.tif 000148
【図３３Ｅ】
0004624797.tif 000149
【図３３Ｆ】
0004624797.tif 000150
【図３４Ａ】
0004624797.tif 000151
【図３４Ｂ】
0004624797.tif 000152
【図３４Ｃ】
0004624797.tif 000153
【図３４Ｄ】
0004624797.tif 000154
【図３４Ｅ】
0004624797.tif 000155
【図３４Ｆ】
0004624797.tif 000156
【図３５Ａ】
0004624797.tif 000157
【図３５Ｂ】
0004624797.tif 000158
【図３５Ｃ】
0004624797.tif 000159
【図３５Ｄ】
0004624797.tif 000160
【図３５Ｅ】
0004624797.tif 000161
【図３５Ｆ】
0004624797.tif 000162